(57)【要約】【課題】作業者の技量によらず、誤った位置に穴加工するのを抑えることができる、厨房装置の設置キット、穴位置シート、穴位置シートの製造方法及び穴位置シートを用いた厨房装置の設置方法を提供する。【解決手段】厨房装置１の設置キットは、厨房装置１と、穴位置シート２と、を備える。厨房装置１は、設置面７を貫通する貫通部材１４につながる少なくとも一つの器具１１を含み、設置面７に沿って配置される。穴位置シート２は、設置面７における貫通部材１４を通す穴の位置を決定するために用いられる。穴位置シート２は、設置面７上の基準位置３に合わせられる位置決め部２１と、位置決め部２１を基準位置３に合わせたときに、設置面７上の穴の位置を指示する穴指示部２２と、を有する。【選択図】図２
2020114296.tif 000002
【特許請求の範囲】
【請求項１】
設置面を貫通する貫通部材につながる少なくとも一つの器具を含み、前記設置面に沿って配置される厨房装置と、
前記設置面における前記貫通部材を通す穴の位置を決定するための穴位置シートと、
を備え、
前記穴位置シートは、
前記設置面上の基準位置に合わせられる位置決め部と、
前記位置決め部を前記基準位置に合わせたときに、前記設置面上の前記穴の位置を指示する穴指示部と、
を有する、
厨房装置の設置キット。
【請求項２】
前記貫通部材が、前記器具としてのシンクにつながる排水管である、
請求項１記載の厨房装置の設置キット。
【請求項３】
前記貫通部材が、前記器具としての電気器具につながる通電ケーブルである、
請求項１又は請求項２記載の厨房装置の設置キット。
【請求項４】
前記穴位置シートは、前記設置面上の前記厨房装置の配置位置を指示する配置位置指示部を有する、
請求項１〜３のいずれか一項に記載の厨房装置の設置キット。
【請求項５】
前記穴位置シートは、
前記穴指示部の前記穴に対応する穴径を示すサイズ表示部を有する、
請求項１〜４のいずれか一項に記載の厨房装置の設置キット。
【請求項６】
前記穴位置シートは、
一方向に延びる第一辺と、
前記第一辺に対して交差する方向に延びる第二辺と、
を有し、
前記第一辺及び前記第二辺が前記位置決め部である、
請求項１〜５のいずれか一項に記載の厨房装置の設置キット。
【請求項７】
前記穴位置シートは、前記設置面に対向する面に形成された粘着層を有する、
請求項１〜６のいずれか一項に記載の厨房装置の設置キット。
【請求項８】
設置面を貫通する貫通部材につながる器具を含む厨房装置を設置する際に、前記設置面における前記貫通部材を通す穴の位置を決定するための穴位置シートであって、
前記設置面上の基準位置に合わせられる位置決め部と、
前記位置決め部を前記基準位置に合わせたときに、前記設置面上の前記穴の位置を指示する穴指示部と、
を備える、
穴位置シート。
【請求項９】
請求項１〜８のいずれか一項に記載の穴位置シートの製造方法であって、
前記厨房装置のプラン設計図の作図データに基づいて印刷する、
穴位置シートの製造方法。
【請求項１０】
請求項１〜８のいずれか一項に記載の穴位置シートを、前記基準位置に対して前記位置決め部を合わせるようにして、前記設置面に固定する第一工程と、
前記第一工程の後、前記穴指示部に合わせて、工具で穴を空ける第二工程と、
前記設置面に前記厨房装置を配置し、前記第二工程で形成された前記穴に前記貫通部材を通す第三工程と、
を備える、
穴位置シートを用いた厨房装置の設置方法。
【発明の詳細な説明】
【技術分野】
【０００１】
本発明は、厨房装置の設置キット、穴位置シート、穴位置シートの製造方法及び穴位置シートを用いた厨房装置の設置方法に関する。
【背景技術】
【０００２】
特許文献１には、従来の厨房装置が記載されている。特許文献１記載の厨房家具は、壁に沿って取り付けられている。厨房家具は、ガス焜炉を有する。ガス焜炉には、接続管、金属可撓管、エルボ、垂直配管及び元管からなる配管が接続されており、配管を介してガスが供給される。配管は、壁（又は床）に形成された穴に通され、室内へ引き込まれている。
【先行技術文献】
【特許文献】
【０００３】
【特許文献１】特開平１０−０９９１４８号公報
【発明の概要】
【発明が解決しようとする課題】
【０００４】
ところで、特許文献１記載の厨房家具では、壁（又は床）に穴を形成する際には、壁（又は床）に墨出し線を入れ、この墨出し線に基づいて穴加工される。
【０００５】
しかしながら、技量が低い作業者が墨出しの作業を行うと、誤った位置に墨出し線が入れられやすい。この場合、穴加工を行った後に追加の加工が必要となるという問題があった。
【０００６】
本発明は、上記事情に鑑みてなされ、作業者の技量によらず、誤った位置に穴加工するのを抑えることができる、厨房装置の設置キット、穴位置シート、穴位置シートの製造方法及び穴位置シートを用いた厨房装置の設置方法を提供することを目的とする。
【課題を解決するための手段】
【０００７】
本発明に係る一態様の厨房装置の設置キットは、厨房装置と、穴位置シートと、を備える。前記厨房装置は、設置面を貫通する貫通部材につながる少なくとも一つの器具を含み、前記設置面に沿って配置される。前記穴位置シートは、前記設置面における前記貫通部材を通す穴の位置を決定する。前記穴位置シートは、前記設置面上の基準位置に合わせられる位置決め部と、前記位置決め部を前記基準位置に合わせたときに、前記設置面上の前記穴の位置を指示する穴指示部と、を有する。
【０００８】
本発明に係る一態様の穴位置シートは、設置面を貫通する貫通部材につながる器具を含む厨房装置を設置する際に、前記設置面における前記貫通部材を通す穴の位置を決定するための穴位置シートである。穴位置シートは、前記設置面上の基準位置に合わせられる位置決め部と、前記位置決め部を前記基準位置に合わせたときに、前記設置面上の前記穴の位置を指示する穴指示部と、を備える。
【０００９】
本発明に係る一態様の穴位置シートの製造方法は、前記穴位置シートの製造方法であって、前記厨房装置のプラン設計図の作図データに基づいて印刷する。
【００１０】
本発明に係る一態様の穴位置シートを用いた厨房装置の設置方法は、第一工程と、第二工程と、第三工程と、を備える。第一工程は、前記穴位置シートを、前記基準位置に対して前記位置決め部を合わせるようにして、前記設置面に固定する。前記第二工程は、前記第一工程の後、前記穴指示部に合わせて、工具で穴を空ける。前記第三工程は、前記設置面に前記厨房装置を配置し、前記第二工程で形成された前記穴に前記貫通部材を通す。
【発明の効果】
【００１１】
本発明に係る上記態様によれば、作業者の技量によらず、誤った位置に穴加工するのを抑えることができる、という利点がある。
【図面の簡単な説明】
【００１２】
【図１】図１は、本発明に係る一実施形態の厨房装置の設置キットを用いて厨房装置を設置した状態の全体の斜視図である。
【図２】図２は、同上の穴位置シートの平面図である。
【図３】図３は、同上の穴位置シートを設置面上に配置した状態の斜視図である。
【図４】図４は、同上の制御装置及び出力装置のブロック図である。
【発明を実施するための形態】
【００１３】
（１）実施形態
（１．１）概要
本実施形態に係る厨房装置１の設置キットは、図１に示すように、設置面７に沿って配置される厨房装置１と、例えば図２に示す穴位置シート２と、を備える。厨房装置１は、図１に示すように、設置面７を貫通する貫通部材１４につながる少なくとも一つの器具１１を含む。穴位置シート２（図２参照）は、設置面７における貫通部材１４を通す穴の位置を決定するために用いられる。
【００１４】
本開示に係る設置面７は、床面に限らず、例えば、カーペットの上面、土間の上面、タイルの上面、ガラス面の上面、コンクリートの上面等であってもよい。また、設置面７は、水平面に沿った面のみに限らず、例えば、壁面３１、間仕切りの一面等の立面を含んでもよいし、天井面を含んでもよい。また、設置面７は、平面に限らず、凹凸面であってもよい。
【００１５】
穴位置シート２は、図２に示すように、位置決め部２１と、少なくとも一つの穴指示部２２と、を備える。位置決め部２１は、図３に示すように、設置面７上の基準位置３に合わせられる。穴指示部２２は、位置決め部２１を基準位置３に合わせたときに、設置面７上の穴の位置を指示する。
【００１６】
このため、本実施形態に係る厨房装置１の設置キットによれば、穴位置シート２を設置面７に配置するだけで、設置面７に対して、穴の位置を示すことができるため、誤った位置に穴加工するのを抑えることができる。したがって、従来の施工では墨出しを行う際に、誤った位置に墨出し線３２を入れた結果、誤った位置に穴加工が行われることがあったが、これを回避できる。また、この態様によれば、墨出しの技量の低い作業者であっても、精度よく穴位置を決めることができる。
【００１７】
（１．２）詳細
以下、本実施形態に係る厨房装置１の設置キットについて、詳細に説明する。
【００１８】
本実施形態に係る厨房装置１の設置キット（以下、設置キットという）は、設置面７上において、適切な位置に厨房装置１を配置するためのキットである。ここで、本開示でいう「設置面７」とは、厨房装置１が設置された面を意味し、設置面７は厨房装置１に沿っている。本実施形態に係る設置面７は、建物における床面である。ただし、本開示に係る設置面７は、上述の「（１．１）概要」で述べたように、床面に限らない。設置キットは、厨房装置１と、穴位置シート２（図２参照）と、を備える。
【００１９】
（１．２．１）厨房装置
厨房装置１は、キッチンにおいて、調理作業を行う設備である。本開示でいう「調理作業」とは、料理に関する作業を意味し、例えば、料理、解凍、野菜を洗うこと、米を研ぐこと、食器洗い等が含まれる。厨房装置１は、設置面７に沿って配置されている。ここでいう「設置面７に沿って配置される」とは、厨房装置１が設置面７上に載る場合のほか、壁面３１と厨房装置１との関係のように、一定の隙間を介して設置面７に対向している場合も含む。本実施形態に係る厨房装置１は、キッチン台１０と、排気フード１２５と、を備える。キッチン台１０は、少なくとも一つの器具１１を含む。
【００２０】
器具１１は、キッチン台１０において、調理作業を行う際に用いられる物（装置を含む）である。本実施形態に係る厨房装置１は、複数の器具１１として、複数の電気器具１２と、シンク１３と、を備える。ただし、本開示では、厨房装置１は、器具１１として、電気器具１２とシンク１３とのうちの一方だけを備えてもよい。
【００２１】
本実施形態に係るキッチン台１０は、複数の電気器具１２として、電磁調理器１２１（ＩＨ（induction heating）調理器）と、食器洗浄機１２２と、ブロックコンセント１２３と、給水栓１２４と、を備える。ただし、本開示では、厨房装置１が備える電気器具１２は、電磁調理器１２１、食器洗浄機１２２及びブロックコンセント１２３のうちの、いずれか二つであってもよいし、いずれか一つのみであってもよい。また、本開示に係る電気器具１２は、これに限らず、例えば、電気炊飯器、ＩＨ炊飯器、電気コンロ、ガスコンロ、オーブン、グリル、照明器具等であってもよい。本実施形態に係る給水栓１２４は、電気で駆動するいわゆる電子給水栓である。
【００２２】
シンク１３は、水作業を行う際に用いられる器具１１である。本実施形態に係るシンク１３は、上方向に開口面を有する箱形状に形成されている。シンク１３の開口面に対して、平面視で隣接する位置には、給水栓１２４が設けられている。シンク１３は、給水栓１２４から吐出された水を受けることができる。シンク１３の底面には、排水口（図示せず）が形成されている。
【００２３】
器具１１は、貫通部材１４につながっている。貫通部材１４は、設置面７を貫通する部材である。本実施形態に係るキッチン台１０は、貫通部材１４として、シンク１３につながる排水管１４１と、電気器具１２につながる通電ケーブル１４２（電気コード）と、を備える。ただし、本開示に係る貫通部材１４は、排水管１４１や通電ケーブル１４２に限らず、例えば、ガス配管、寸切りボルト、チューブ、ホース等であってもよい。
【００２４】
排水管１４１は、設置面７を貫通しており、上流側の端部がシンク１３の排水口に接続され、下流側の端部が下水道に接続される。要するに、シンク１３から排水された水は、排水管１４１を通って、下水道に流れる。排水管１４１は、本実施形態では、剛性を有しており、いわゆる不とう性管で構成される。ただし、排水管１４１としては、フレキシブル管やホース等のいわゆる可とう性管（とう性管）であってもよい。排水管１４１は、本実施形態では、例えば、不とう性管である耐熱塩化ビニル管で構成される。
【００２５】
通電ケーブル１４２は、電気（電気信号を含む）を通す導体であり、電気器具１２に接続されている。通電ケーブル１４２は、本実施形態では、電源と電気器具１２とをつなぐ給電用の配線である。ただし、本開示では、通電ケーブル１４２は、電気器具１２とネットワークとの間、あるいは、電気器具１２と他の電気機器との間で、電気信号を双方向に通信可能な通信ケーブルであってもよい。
【００２６】
給水栓１２４には、通電ケーブル１４２だけでなく、貫通部材１４としての給水管１４３及び給湯管にもつながっている。給水管１４３は、本実施形態では、可とう性管（とう性管）で構成されている。
【００２７】
排気フード１２５は、料理中に発生する蒸気等を室外に排気する装置である。排気フード１２５は、天井面に設置され、キッチン台１０の上方に配置される。
【００２８】
（１．２．２）穴位置シート
穴位置シート２は、設置面７における貫通部材１４を通す穴の位置を決定するためのシートである。穴位置シート２は、本実施形態では、図２に示すように、上方からみた態様のキッチン台１０が実物大で描かれており、要するに、キッチン台１０をシート上に投影した状態の図が描かれている。したがって、穴位置シート２を設置面７上に配置すれば、設置面７上におけるキッチン台１０の設置位置（据付け位置）が把握できる。穴位置シート２は、本実施形態では、紙で構成されるが、本開示では、例えば、不透明なビニールシート、透明のビニールシート、紙製段ボール、プラスチック段ボール、可とう性シート、樹脂製マット、ゲルシート、ゴムシート等であってもよい。
【００２９】
穴位置シート２は、設置面７上に配置された状態で、設置面７に対して固定される。穴位置シート２の設置面７への固定は、穴位置シート２を設置面７上に配置した状態で、例えば、穴位置シート２と設置面７とにわたって粘着テープを貼ることで実現される。
【００３０】
また、穴位置シート２の設置面７への固定の他例として、穴位置シート２の設置面７に対向する面（要するに、穴位置シート２の裏面）に粘着層が形成されてもよい。この場合、粘着層によって、穴位置シート２が設置面７に固定される。粘着層は、例えば、両面テープ、接着剤等で構成される。ただし、穴位置シート２の設置面７への固定は、例えば、釘、ピン、鋲等の固定具で実現されてもよい。
【００３１】
穴位置シート２は、図２に示すように、位置決め部２１と、複数の穴指示部２２と、サイズ表示部２３と、配置位置指示部２４と、を備える。穴位置シート２は、本実施形態では、四角形状に形成されており、より詳細には長方形状に形成されている。ただし、穴位置シート２は、四角形状に限らず、例えば、三角形状や五角形状等の多角形状、平面視における厨房装置１の外形に合わせた形状等に形成されてもよい。
【００３２】
位置決め部２１は、設置面７上の基準位置３に合わせられる部分である。基準位置３に位置決め部２１が合わせられることで、穴位置シート２は設置面７上における適切な位置に配置される。位置決め部２１は、本実施形態では、第一辺２１１と、第二辺２１２と、を備える。
【００３３】
設置面７上の基準位置３は、厨房装置１の設置の基準となる位置のことである。ここで、本実施形態では、穴位置シート２を用いて設置面７に対する穴開け加工を実施するタイミングは、建物の施工時であることが好ましい。建物施工者（建築業者）が建物施工時に穴開け加工を行えば、効率よく作業を行うことができるからである。ただし、建物施工時には、内壁又は間仕切り壁が設置されていないことがある。この場合、設置面７において、内壁又は間仕切り壁が設置される位置に墨出し線が引かれているため、基準位置３を墨出し線としてもよい。
【００３４】
図３に示すように、内壁が設置されている場合、壁面３１を基準位置３としてもよい。基準位置３が設置面７から上方向に突出していると、基準位置３に位置決め部２１を当てることができて、位置決めがしやすく、作業性がよい。本開示では、基準位置３は、墨出し線３２、壁面３１のほか、例えば、設置面７の外縁、位置決めピン、部材の合わせ面、罫書き線、予め設置面７に印刷された線等であってもよい。
【００３５】
第一辺２１１は、図２に示すように、一方向に延びる辺である。本実施形態では、第一辺２１１は、穴位置シート２の長手方向の両側の辺のうちの一方の辺である。ただし、本開示では、第一辺２１１は、長手方向に沿う辺であってもよく、要するに、外周のうちのいずれかの辺であってもよい。本実施形態に係る第一辺２１１は、直線状に形成されており、例えば、壁面３１（又は内壁の墨出し線）に合わせられる。
【００３６】
第二辺２１２は、第一辺２１１に対して交差する方向に延びる。本実施形態では、第二辺２１２は、穴位置シート２の長手方向に沿った辺のうちの一方の辺であり、第一辺２１１に対して直交する方向に延びている。本実施形態では、第二辺２１２と第一辺２１１とは、出隅部を介して直接的につながっているが、第一辺２１１と第二辺２１２との間に、面取り（Ｃ面取り及びＲ面取りを含む）等の他の辺が介在してもよく、間接的につながっていてもよい。
【００３７】
第二辺２１２は、第一辺２１１に合わせられる基準位置３（第一基準位置）に対して交差する基準位置３（第二基準位置）に合わせられる。本実施形態では、第二基準位置は、図３に示すように、第一基準位置である壁面３１（又は内壁の墨出し線）に対し、直交する内壁の墨出し線３２である。本実施形態では、第一基準位置に第一辺２１１が合わせられ、第二基準位置に第二辺２１２が合わせられることで、穴位置シート２が適切な位置に配置される。
【００３８】
穴指示部２２は、位置決め部２１を基準位置３に合わせたときに、設置面７上の穴の位置を指示する部分である。本実施形態に係る穴指示部２２は、設置面７上の実際の穴の位置に対し、対向する位置に配置されるため、穴指示部２２のセンターマーク２２１に工具（例えば、電動ドリル）の先端を合わせて穴を開けることで、設置面７上の適切な位置に穴を開けることができる。センターマーク２２１は、例えば、「＋」、「×」、「・」、「Ｖ」、矢印の先端等のような穴の中心を示すマークである。
【００３９】
ただし、本開示に係る穴指示部２２は、センターマーク２２１を有さなくてもよく、「〇」印のみであってもよく、穴の位置が指示されていればよい。また、穴指示部２２は、シート上の「〇」印等の印刷に限らない。例えば、穴指示部２２は、シートを貫通する貫通穴であってもよい。貫通穴に沿って墨等を入れることで、設置面７に直接印を入れることができるため、この印に合わせて穴を開けてもよい。
【００４０】
サイズ表示部２３は、設置面７に開けるべき穴のサイズを表示する。要するに、サイズ表示部２３は、穴指示部２２の穴に対応する穴径を示す。サイズ表示部２３は、本実施形態では、排水管１４１を通す穴に対応する穴径の表示として、例えば「ＨＴ２０」と表示される。これは、呼び径が２０ｍｍの耐熱塩化ビニル管が通る穴を形成すべきことを意味する。また、電気器具１２の通電ケーブル１４２を通す穴に対応する穴径の表示として、例えば「ＩＨ２００Ｖ  Ａ専用」と表示される。また、食器洗い乾燥機の通電ケーブル１４２を通す穴に対応する穴径の表示として、例えば「食洗用  ＡＣ１００Ｖ」と表示される。
【００４１】
サイズ表示部２３は、穴指示部２２に対応する位置に形成されている。サイズ表示部２３は、本実施形態では、穴指示部２２に対して、周辺部のいずれかに形成されており、詳細に説明すると、穴指示部２２に対して、第一辺２１１に沿う方向のいずれか一方に隣接した位置に形成されている。ただし、本開示では、サイズ表示部２３は、穴指示部２２の周辺部のいずれかに、例えば「ＨＴ２０」と印刷されたものに限らない。例えば、穴指示部２２に隣接する位置に番号を付し、穴位置シート２の余白の箇所等に、前記番号と、その番号に対応する穴径と、を記載した一覧表示を行ってもよい。要するに、サイズ表示部２３は、穴指示部２２との対応関係が分かるように表示されていればよい。
【００４２】
配置位置指示部２４は、設置面７上の厨房装置１（ここでは、キッチン台１０）の配置位置を指示する。配置位置指示部２４は、例えば、キッチン台１０の平面視における角部の位置を指示する。本実施形態では、配置位置指示部２４は、第一辺２１１と第二辺２１２との出隅部である。配置位置指示部２４に合わせてキッチン台１０を設置すれば、穴指示部２２で指示された穴に対し、排水管１４１や通電ケーブル１４２が適切に通る。したがって、本実施形態に係る穴位置シート２によれば、穴の位置の加工間違いを減らすことができる。
【００４３】
ところで従来では、厨房装置を設置するに当たり、建物施工者が建物の施工の際に穴開け加工を行うためには、厨房装置を設置する作業者が予め墨出しを行い、それに基づいて、建物施工者が穴を空ける必要があった。これに対し、本実施形態では、穴位置シート２を用意するだけで、建物施工者が、建物施工の際に、穴位置シート２を配置して穴開け加工を行うことができる。したがって、本実施形態に係る設置キットによれば、穴開け加工の加工間違いを減らすことができるため、厨房装置１を設置する際に、厨房装置１を設置する作業者が、追加の作業を行うことを減らすことができる。ここでいう、「追加の作業」とは、例えば、設置面７に対して開いている穴に対し、穴を拡げたり、別の穴を開けたりする等の作業を意味する。
【００４４】
穴位置シート２は、例えば、出力装置４（図４参照）によって印刷されることで製造される。出力装置４は、制御装置５に対し、電気信号を授受可能に接続されている。出力装置４は、例えば、プリンタ、プロッタ等が挙げられる。
【００４５】
制御装置５は、選択されたプランに基づき、そのプランの設計図（以下、プラン設計図という）のデータ（作図データ）を出力装置４に出力する。出力装置４は、図４に示すように、制御装置５から受け取った作図データに基づいて、印刷を実行する。制御装置５は、例えばプロセッサ及びメモリを有するマイクロプロセッサで構成されている。プロセッサは、メモリに記憶されているプログラムを実行することによって、プラン選択部５１、プラン作成部５２、設計図作成部５３、印刷データ作成部５４及び出力装置制御部５５として機能する。言い換えると、制御装置５は、プラン選択部５１と、プラン作成部５２と、設計図作成部５３と、印刷データ作成部５４と、出力装置制御部５５と、を備える。
【００４６】
プラン選択部５１は、予め決められた複数種類の仕様の中から、一の仕様を選択する。各仕様では、食器洗い乾燥機の有無、キッチンのレイアウト及び排気フード１２５の配置等の構成要素が組み合わされて一の仕様を構成する。複数種類の仕様としては、例えば、食器洗い乾燥機を有するＩ型キッチンのプラン、食器洗い乾燥機を有するＬ型キッチンのプラン、食器洗い乾燥機を有するＵ型キッチンのプラン等が挙げられる。プラン選択部５１で選択されたプランの情報は、設計図作成部５３に出力される。
【００４７】
プラン作成部５２は、予め決められた仕様ではなく、プランの仕様の構成要素を任意に選択することができる。プラン作成部５２は、例えば、ユーザの好みに応じて、各構成要素が選択され、これによってプランが作成される。プラン作成部５２で作成されたプランの情報は、設計図作成部５３に出力される。
【００４８】
設計図作成部５３は、入力された情報に基づいて、厨房装置１の設計図の作図データを作成する。設計図は、上面図、正面図、底面図、背面図、右側面図及び左側面図を備える。本開示では、設計図は、斜視図を更に備えてもよい。設計図作成部５３は、作図データを、印刷データ作成部５４に出力する。
【００４９】
印刷データ作成部５４は、入力された作図データを印刷可能なデータに変換する。本実施形態では、印刷データ作成部５４は、穴位置シート２を生成するために少なくとも上面図から印刷可能なデータに変換する。変換された印刷データは、出力装置制御部５５に出力される。
【００５０】
出力装置制御部５５は、印刷データに基づいて、出力装置４を制御し、これにより、穴位置シート２を印刷させる。
【００５１】
制御装置５において、プラン選択部５１及びプラン作成部５２でのプラン又は仕様等の選択は、入力装置６によって実行される。入力装置６は、入力を実行する装置である。本実施形態に係る入力装置６は、マウスであるが、本開示ではこれに限らず、トラックボール、トラックパッド、ジョイスティック、マイク、キーボード、タッチパネル等であってもよい。
【００５２】
上記実施形態では、設計図作成部５３は、作図データを、印刷データ作成部５４と、出力装置制御部５５とに出力したが、これに加えて、例えば、作図データを表示装置に出力してもよい。表示装置としては、例えば、モニタ、タブレット、スマートフォン等が挙げられる。表示装置を用いて、入力装置６による入力を行ってもよい。
【００５３】
（１．３）厨房装置の設置方法
本実施形態に係る厨房装置１の設置方法は、第一工程と、第二工程と、第三工程と、を備える。本実施形態では、第一工程、第二工程及び第三工程を経ることで、設置面７上におけるキッチン台１０の設置が完了する。
【００５４】
第一工程では、作業者は、穴位置シート２を、基準位置３に対して位置決め部２１を合わせるようにして、設置面７に固定する。本実施形態では、図３に示すように、第一辺２１１を壁面３１に合わせ、かつ第二辺２１２を設置面７に書かれた墨出し線３２に合わせ、穴位置シート２を設置面７上に配置した状態で、穴位置シート２を設置面７に対して粘着テープで固定する。
【００５５】
第二工程では、作業者は、第一工程の後、穴指示部２２に合わせて、工具で穴を空ける。第二工程では、作業者は、穴指示部２２のセンターマーク２２１に工具の先端を合わせ、工具を動作させることで、穴位置シート２と共に設置面７に穴を開ける。作業者は、穴を開ける前において、サイズ表示部２３を確認することで、穴径を選ぶことができる（要するに、工具の選択を行うことができる）。本実施形態に係る第二工程では、作業者は、排水管１４１用の穴と、通電ケーブル１４２用の穴とを空ける。
【００５６】
第三工程では、設置面７に厨房装置１（ここではキッチン台１０）を配置し、第二工程で形成した穴に貫通部材１４を通す。第三工程では、排水管１４１用の穴に、貫通部材１４である排水管１４１を通し、通電ケーブル１４２用の穴に通電ケーブル１４２を通す。そして、穴位置シート２に形成された配置位置指示部２４に合わせて、キッチン台１０を設置することで、シンク１３と排水管１４１との位置がずれるのを抑えることができ、また、電気器具１２と通電ケーブル１４２との位置が大きくずれるのを抑えることができる。なお、キッチン台１０を設置する際に、作業者は穴位置シート２を取り外すが、そのまま残してもよい。
【００５７】
本実施形態の厨房装置１の設置方法では、第一工程、第二工程及び第三工程を経ることで、設置面７上の適切な位置にキッチン台１０を設置することができる。
【００５８】
（２）変形例
上記実施形態は、本開示の様々な実施形態の一つに過ぎない。実施形態は、本開示の目的を達成できれば、設計等に応じて種々の変更が可能である。以下、実施形態の変形例を列挙する。以下に説明する変形例は、適宜組み合わせて適用可能である。
【００５９】
上記実施形態では、設置面７上における穴の位置を示す表示として、センターマーク２２１を備えたが、本開示では、穴指示部２２にレーザポインタを配置し、壁面３１や天井面にレーザポインタから発せられるレーザを当てて穴の位置を指示してもよい。要するに、穴指示部２２は、レーザポインタのレーザの向きと配置位置を指示する表示であってもよい。上記実施形態では、レーザポインタによって、排気フード１２５の設置に必要な穴の位置を指示することができる。
【００６０】
また、本実施形態では、穴位置シート２は、キッチン台１０のみを投影した図が描かれていたが、キッチン台１０と排気フード１２５と一緒に投影した図が描かれてもよい。この場合、排気フード１２５と併せて描かれた穴指示部２２にレーザポインタを載せることで、排気フード１２５の設置に必要な穴の位置を、レーザポインタで指示することができる。
【００６１】
上記実施形態では、基準位置３は、第一基準位置と第二基準位置とを備えたが、第一基準位置及び第二基準位置のいずれかのみで構成されてもよい。
【００６２】
上記実施形態では、新築の建築物に対して穴加工を行う例で説明したが、本開示に係る厨房装置１の設置キットでは、リフォーム工事にも適用することができる。
【００６３】
上記実施形態に係る厨房装置１では、排気フード１２５を備えたが、本開示に係る厨房装置１では、排気フード１２５は無くてもよく、キッチン台１０のみで構成されてもよい。
【００６４】
上記実施形態では、給水栓１２４は、電気で駆動するいわゆる電子給水栓であるが、手動で給水可能な給水栓であってもよい。要するに、本開示に係る厨房装置１は、器具１１として、電気器具１２ではない給水栓を備えてもよい。
【００６５】
（３）態様
以上説明したように、第１の態様に係る厨房装置（１）の設置キットは、厨房装置（１）と、穴位置シート（２）と、を備える。厨房装置（１）は、設置面（７）を貫通する貫通部材（１４）につながる少なくとも一つの器具（１１）を含み、設置面（７）に沿って配置される。穴位置シート（２）は、設置面（７）における貫通部材（１４）を通す穴の位置を決定するために用いられる。穴位置シート（２）は、設置面（７）上の基準位置（３）に合わせられる位置決め部（２１）と、位置決め部（２１）を基準位置（３）に合わせたときに、設置面（７）上の穴の位置を指示する穴指示部（２２）と、を有する。
【００６６】
この態様によれば、穴位置シート（２）を設置面（７）に配置するだけで、設置面（７）に対して、穴の位置を示すことができるため、誤った位置に穴加工するのを抑えることができる。したがって、従来の施工では墨出しを行う際に、誤った位置に墨出し線（３２）を入れた結果、誤った位置に穴加工が行われることがあったが、これを回避できる。また、この態様によれば、墨出しの技量の低い作業者であっても、精度よく穴位置を決めることができる。
【００６７】
第２の態様に係る厨房装置（１）の設置キットでは、第１の態様において、貫通部材（１４）が、器具（１１）としてのシンク（１３）につながる排水管（１４１）である。
【００６８】
この態様によれば、排水管（１４１）を通す穴を設置面（７）に形成する際に、誤った位置に穴加工をすることを減らすことができる。
【００６９】
第３の態様に係る厨房装置（１）の設置キットでは、第１又は第２の態様において、貫通部材（１４）が、器具（１１）としての電気器具（１２）につながる通電ケーブル（１４２）である。
【００７０】
この態様によれば、通電ケーブル（１４２）を通す穴を設置面（７）に形成する際に、誤った位置に穴加工をすることを減らすことができる。
【００７１】
第４の態様に係る厨房装置（１）の設置キットでは、第１〜第３のいずれか一つの態様において、穴位置シート（２）は、設置面（７）上の厨房装置（１）の配置位置を指示する配置位置指示部（２４）を有する。
【００７２】
この態様によれば、厨房装置（１）に対する穴加工の位置を決めることができ、厨房装置（１）を配置位置指示部（２４）の指示通りに設置するだけで、適切に貫通部材（１４）を穴に通すことができる。
【００７３】
第５の態様に係る厨房装置（１）の設置キットでは、第１〜第４のいずれか一つの態様において、穴位置シート（２）は、穴指示部（２２）の穴に対応する穴径を示すサイズ表示部（２３）を有する。
【００７４】
この態様によれば、設置面（７）上に配置された穴位置シート（２）を確認するだけで、容易に加工すべき穴径を把握することができる。
【００７５】
第６の態様に係る厨房装置（１）の設置キットでは、第１〜第５のいずれか一つの態様において、穴位置シート（２）は、は、一方向に延びる第一辺（２１１）と、第一辺（２１１）に対して交差する方向に延びる第二辺（２１２）と、を有する。第一辺（２１１）及び第二辺（２１２）が位置決め部（２１）である。
【００７６】
この態様によれば、設置面（７）上において、穴位置シート（２）を正確に配置することができる。
【００７７】
第７の態様に係る厨房装置（１）の設置キットでは、第１〜第６のいずれか一つの態様において、穴位置シート（２）は、設置面（７）に対向する面に形成された粘着層を有する。
【００７８】
この態様によれば、設置面（７）上において、穴位置シート（２）を簡単に固定することができる。
【００７９】
第８の態様に係る穴位置シート（２）は、設置面（７）を貫通する貫通部材（１４）につながる器具（１１）を含む厨房装置（１）を設置する際に、設置面（７）における貫通部材（１４）を通す穴の位置を決定するための穴位置シート（２）である。穴位置シート（２）は、設置面（７）上の基準位置（３）に合わせられる位置決め部（２１）と、位置決め部（２１）を基準位置（３）に合わせたときに、設置面（７）上の穴の位置を指示する穴指示部（２２）と、を備える。
【００８０】
この態様によれば、穴位置シート（２）を設置面（７）に配置するだけで、設置面（７）に対して、穴の位置を示すことができるため、誤った位置に穴加工するのを抑えることができる。
【００８１】
第９の態様に係る穴位置シート（２）の製造方法は、第１〜第８のいずれか一つの態様に係る穴位置シート（２）の製造方法である。穴位置シート（２）は、厨房装置（１）のプラン設計図の作図データに基づいて印刷する。
【００８２】
この態様によれば、プラン設計図から直ちに穴位置シート（２）を製造することができ、製造性がよい。
【００８３】
第１０の態様に係る穴位置シート（２）を用いた厨房装置（１）の設置方法では、第一工程と、第二工程と、第三工程と、を備える。第一工程は、第１〜第８のいずれか一つの穴位置シート（２）を基準位置（３）に対して位置決め部（２１）を合わせるようにして、設置面（７）に固定する。第二工程は、第一工程の後、穴指示部（２２）に合わせて、工具で穴を空ける。第三工程は、設置面（７）に厨房装置（１）を配置し、第二工程で形成された穴に貫通部材（１４）を通す。
【００８４】
この態様によれば、穴位置シート（２）を用いて、設置面（７）上の適切な位置に穴を空けることができる上に、当該穴を通った貫通部材（１４）を持つ厨房装置（１）を設置することができる。
【００８５】
第２〜第７の態様に係る構成については、厨房装置（１）の設置キットに必須の構成ではなく、適宜省略可能である。
【符号の説明】
【００８６】
１        厨房装置
１１      器具
１２      電気器具
１３      シンク
１４      貫通部材
１４１    排水管
１４２    通電ケーブル
２        穴位置シート
２１      位置決め部
２１１    第一辺
２１２    第二辺
２２      穴指示部
２３      サイズ表示部
２４      配置位置指示部
３        基準位置
４        出力装置
７        設置面
【図１】
2020114296.tif 000003
【図２】
2020114296.tif 000004
【図３】
2020114296.tif 000005
【図４】
2020114296.tif 000006
【手続補正書】
【提出日】令和1年6月24日(2019.6.24)
【手続補正１】
【補正対象書類名】特許請求の範囲
【補正対象項目名】全文
【補正方法】変更
【補正の内容】
【特許請求の範囲】
【請求項１】
設置面を貫通する貫通部材につながる少なくとも一つの器具を含み、前記設置面に沿って配置される厨房装置と、
前記設置面における前記貫通部材を通す穴の位置を決定するための穴位置シートと、
を備え、
前記穴位置シートは、
前記設置面上の基準位置に合わせられる位置決め部と、
前記位置決め部を前記基準位置に合わせたときに、前記設置面上の前記穴の位置を指示する穴指示部と、
天井面又は壁面に排気フードの設置に必要な穴の位置を指示する排気フード穴指示部と、
を有する、
厨房装置の設置キット。
【請求項２】
前記排気フード穴指示部は、前記天井面にレーザーを発するレーザーポインターの配置位置を示す表示である請求項１に記載の厨房装置の設置キット。
【請求項３】
前記排気フード穴指示部は、前記壁面にレーザーを発するレーザーポインターのレーザーの向きと配置位置を示す表示である請求項１に記載の厨房装置の設置キット。
【請求項４】
前記穴位置シートは、前記設置面上の前記厨房装置の配置位置を指示する配置位置指示部を有する、
請求項１〜３のいずれか一項に記載の厨房装置の設置キット。
【請求項５】
前記穴位置シートは、
一方向に延びる第一辺と、
前記第一辺に対して交差する方向に延びる第二辺と、
を有し、
前記第一辺及び前記第二辺が前記位置決め部である、
請求項１〜４のいずれか一項に記載の厨房装置の設置キット。
【請求項６】
設置面を貫通する貫通部材につながる器具を含む厨房装置を設置する際に、前記設置面における前記貫通部材を通す穴の位置を決定するための穴位置シートであって、
前記設置面上の基準位置に合わせられる位置決め部と、
前記位置決め部を前記基準位置に合わせたときに、前記設置面上の前記穴の位置を指示する穴指示部と、
天井面又は壁面に排気フードの設置に必要な穴の位置を指示する排気フード穴指示部と、
を備える、
穴位置シート。
【請求項７】
前記排気フード穴指示部は、前記天井面にレーザーを発するレーザーポインターの配置位置を示す表示である請求項６に記載の穴位置シート。
【請求項８】
前記排気フード穴指示部は、前記壁面にレーザーを発するレーザーポインターのレーザーの向きと配置位置を示す表示である請求項６に記載の穴位置シート。
【請求項９】
請求項１〜８のいずれか一項に記載の穴位置シートの製造方法であって、
前記厨房装置のプラン設計図の作図データに基づいて印刷する、
穴位置シートの製造方法。
【請求項１０】
請求項１〜８のいずれか一項に記載の穴位置シートを、前記基準位置に対して前記位置決め部を合わせるようにして、前記設置面に固定する第一工程と、
前記第一工程の後、前記穴指示部に合わせて、工具で穴を空ける第二工程と、
前記設置面に前記厨房装置を配置し、前記第二工程で形成された前記穴に前記貫通部材を通す第三工程と、
を備える、
穴位置シートを用いた厨房装置の設置方法。